(57)【要約】【課題】バーコードを用いて患者の確認を行ない、また、バーコードをパスワードとして利用することにより患者情報などを閲覧する。【解決手段】本発明のナースコール装置は、病室Ａ、Ｂや手術室ＯＲに設置された液晶ナースコール子機２ａ、２ｂの患者からの呼出に応じて、廊下に設置された集合廊下灯３ａ、３ｂ、３ｃ、…、病院内に設置されたナースコール制御機４を介してナースステーションＮＳなどに設置されたナースコール親機５に呼出を報知/表示させ、ナースステーションＮＳ内に設置されたナースコール用パーソナルコンピュータ７に予め記憶されている患者情報を報知/表示させるように構成されおり、また、液晶ナースコール子機２ａ、２ｂは、患者情報と照合し患者の確認をするため患者によって担持され患者を特定するバーコードを読取る子機用バーコードリーダ１a、１bを備えている。【選択図】図１
2004195006.tif 000002
【特許請求の範囲】
【請求項１】
病室などに設置された液晶ナースコール子機（２ａ、２ｂ）の患者からの呼出に応じて、廊下に設置された集合廊下灯(３ａ、３ｂ、３ｃ、…)、病院内に設置されたナースコール制御機(４)を介してナースステーションなどに設置されたナースコール親機（５）に呼出を報知/表示させ、前記ナースステーション内に設置されたナースコール用パーソナルコンピュータ（７）に予め記憶されている患者情報を報知/表示させるナースコール装置において、
前記液晶ナースコール子機は、前記患者情報と照合し前記患者の確認をするため前記患者によって担持され前記患者を特定するバーコードを読取る子機用バーコードリーダ(１a、１b)を備えたことを特徴とするナースコール装置。
【請求項２】
前記患者によって担持され前記患者を特定するバーコードを前記子機用バーコードリーダで読取ることにより前記液晶ナースコール子機で患者用カルテ、治療計画、食事制限などの前記患者情報を閲覧することを特徴とする請求項１記載のナースコール装置。
【請求項３】
前記患者によって担持され前記患者を特定するバーコードを前記子機用バーコードリーダで読取り、更に看護師によって担持され前記看護師を特定するバーコードをパスワードとして前記子機用バーコードリーダで読取ることにより前記液晶ナースコール子機で患者の体温、脈拍などの患者の状態を記録し、前記ナースコール用パーソナルコンピュータに転送することを特徴とする請求項１記載のナースコール装置。
【請求項４】
看護師、医師によって担持され前記看護師、医師を特定するバーコードをパスワードとして読取ることにより前記ナースコール用パーソナルコンピュータにて前記患者の薬剤情報（７１）を閲覧し、更に薬剤に取付けられたバーコードを読取ることにより前記薬剤を確認する親機用バーコードリーダ（６）を備えたことを特徴とする請求項１記載のナースコール装置。
【請求項５】
前記患者によって担持され前記患者を特定するバーコードを前記子機用バーコードリーダで読取り、薬剤に取付けられたバーコードを読取ることにより前記薬剤の確認をすることを特徴とする請求項１記載のナースコール装置。
【請求項６】
看護師、医師によって担持され前記看護師、医師を特定するバーコードをパスワードとして前記親機用バーコードリーダおよび前記子機用バーコードリーダの何れか１つで読取ることにより院内ネットワーク（８）のアクセス権を得て前記看護師、医師用カルテなどのデータを閲覧することを特徴とする請求項１記載のナースコール装置。
【請求項７】
看護師、医師によって担持され前記看護師、医師を特定するバーコードをパスワードとして前記親機用バーコードリーダおよび前記子機用バーコードリーダの何れか１つで読取ることにより前記ナースコール用パーソナルコンピュータで予め記憶されている患者情報の閲覧、変更、削除、登録を行なうことを特徴とする請求項１記載のナースコール装置。
【請求項８】
看護師、医師などの院内関係者によって担持され前記院内関係者を特定するバーコードを読取る出入口バーコードリーダ（１２）と、前記出入口バーコードリーダで読取ったバーコードデータを前記ナースコール制御機、前記ナースコール親機を介して前記ナースコール用パーソナルコンピュータに送信し、出入口扉（１０）を開閉するためのバーコードデータと一致したとき、電気錠（９）を開閉するよう制御する電気錠コントローラ（１１）とを備えたことを特徴とする請求項１記載のナースコール装置。
【請求項９】
手術室内に、患者によって担持され前記患者を特定するバーコードを読取り、看護師、医師によって担持され前記看護師、医師を特定するバーコードをパスワードとして読取り院内ネットワーク（８）のアクセス権を得るための子機用バーコードリーダ(１ｂ)と、患者名を表示して患者の確認をするとともに、看護師、医師用カルテなどのデータを表示させる液晶ナースコール子機(２ｂ)とを備えたことを特徴とする請求項１記載のナースコール装置。
【発明の詳細な説明】
【０００１】
【発明の属する技術分野】
本発明はナースコール装置に係わり、特にバーコードを用いて患者の確認を行ない、また、バーコードをパスワードとして利用することにより患者情報などを閲覧することができるナースコール装置に関する。
【０００２】
【従来の技術】
従来から、この種のナースコール装置として、図４に示すような構成のものが知られている（例えば、特許文献１参照）。
【０００３】
このナースコール装置は、各病室ａ、ｂ毎に、複数の患者の患者用ベッド付近にそれぞれ設置される患者用子機１００と、各患者用子機１００側にそれぞれ設けられる患者用情報端末２００と、各病室ａ、ｂの入口付近にそれぞれ設置され、患者用子機１００からの呼出しを検出する複数の廊下灯３００ａ、３００ｂ、…と、ナースステーションｎｓに設置されるナースコール親機４００、制御機５００および看護用端末６００と、ＨＵＢ７００を介して接続されたサーバ８００および売店用情報端末９００とを備えている。
【０００４】
このような構成のナースコール装置においては、患者用情報端末２００の患者からの呼出に応じて、廊下灯３００ａ、３００ｂ、…、制御機５００を介してナースコール親機４００に呼出を報知/表示させることができる。
【０００５】
【特許文献１】特開２００２−１９９１１５号公報  （段落番号「００１７」〜「００２６」、図１）
【０００６】
【発明が解決しようとする課題】
しかしながら、このような構成のナースコール装置においては、病室内の患者や手術室内の患者を特定する手段を備えていないことから、患者の確認を行なうことができず、ひいては患者をとり間違えたり、投薬ミスなどの医療過誤を誘発するおそれがあるという難点があった。
【０００７】
本発明は、このようなナースコール装置の難点を解決するためになされたもので、バーコードを用いて患者の確認を行ない、また、バーコードをパスワードとして利用することにより患者情報などを閲覧することができ、ひいては患者をとり間違えたり、投薬ミスなどの医療過誤の誘発を防止することができるナースコール装置を提供することを目的とする。
【０００８】
【課題を解決するための手段】
上記の目的を達成するため、本発明のナースコール装置は、病室などに設置された液晶ナースコール子機の患者からの呼出に応じて、廊下に設置された集合廊下灯、病院内に設置されたナースコール制御機を介してナースステーションなどに設置されたナースコール親機に呼出を報知/表示させ、ナースステーション内に設置されたナースコール用パーソナルコンピュータに予め記憶されている患者情報を報知/表示させる前記ナースコール装置において、液晶ナースコール子機は、患者情報と照合し患者の確認をするため患者によって担持され患者を特定するバーコードを読取る子機用バーコードリーダを備えている。
【０００９】
また、本発明のナースコール装置は、患者によって担持され患者を特定するバーコードを子機用バーコードリーダで読取ることにより液晶ナースコール子機で患者用カルテ、治療計画、食事制限などの患者情報を閲覧することができるように構成されている。
【００１０】
また、本発明のナースコール装置は、患者によって担持され患者を特定するバーコードを子機用バーコードリーダで読取り、更に看護師によって担持され看護師を特定するバーコードをパスワードとして子機用バーコードリーダで読取ることにより液晶ナースコール子機で患者の体温、脈拍などの患者の状態を記録し、ナースコール用パーソナルコンピュータに転送することができるように構成されている。
【００１１】
また、本発明のナースコール装置は、看護師、医師によって担持され看護師、医師を特定するバーコードをパスワードとして読取ることによりナースコール用パーソナルコンピュータにて患者の薬剤情報を閲覧し、更に薬剤に取付けられたバーコードを読取ることにより薬剤を確認する親機用バーコードリーダを備えている。
【００１２】
また、本発明のナースコール装置は、患者によって担持され患者を特定するバーコードを子機用バーコードリーダで読取り、薬剤に取付けられたバーコードを読取ることにより薬剤を確認することができるように構成されている。
【００１３】
また、本発明のナースコール装置は、看護師、医師によって担持され看護師、医師を特定するバーコードをパスワードとして親機用バーコードリーダおよび子機用バーコードリーダの何れか１つで読取ることにより院内ネットワークのアクセス権を得て看護師、医師用カルテなどのデータを閲覧することができるように構成されている。
【００１４】
また、本発明のナースコール装置は、看護師、医師によって担持され看護師、医師を特定するバーコードをパスワードとして親機用バーコードリーダおよび子機用バーコードリーダの何れか１つで読取ることによりナースコール用パーソナルコンピュータで予め記憶されている患者情報の閲覧、変更、削除、登録を行なうことができるように構成されている。
【００１５】
また、本発明のナースコール装置は、看護師、医師などの院内関係者によって担持され院内関係者を特定するバーコードを読取る出入口バーコードリーダと、出入口バーコードリーダで読取ったバーコードデータをナースコール制御機、ナースコール親機を介してナースコール用パーソナルコンピュータに送信し、出入口扉を開閉するためのバーコードデータと一致したとき、電気錠を開閉するよう制御する電気錠コントローラとを備えている。
【００１６】
また、本発明のナースコール装置は、手術室内に、患者によって担持され患者を特定するバーコードを読取り、看護師、医師によって担持され看護師、医師を特定するバーコードをパスワードとして読取り院内ネットワークのアクセス権を得るための子機用バーコードリーダと、患者名を表示して患者の確認をするとともに、看護師、医師用カルテなどのデータを表示させる液晶ナースコール子機とを備えている。
【００１７】
このような本発明のナースコール装置によれば、患者を特定するバーコードを患者に担持させ、当該バーコードを子機用バーコードリーダで読取ることにより、患者を確認することができ、また、看護師や医師を特定するバーコードを看護師や医師に担持させ、当該バーコードをパスワードとして子機用バーコードリーダなどで読取ることにより、患者情報などを閲覧することができる。さらに、看護師や医師が担持するバーコードをパスワードとして親機用バーコードリーダなどで読取ることにより、患者情報の変更や削除若しくは登録なども行なうことができ、また、薬剤に取付けられたバーコードを親機用バーコードリーダなどで読取ることにより、薬剤の確認も行なうことができる。
【００１８】
【発明の実態の形態】
以下、本発明のナースコール装置の好ましい実施の形態例について、図面を参照して説明する。ここで、図１は、本発明の一実施例におけるナースコール装置のシステム構成図を示している。
【００１９】
同図において、本発明のナースコール装置は、各病室Ａ、Ｂに設置され、子機用バーコードリーダ（以下「病室子機用バーコードリーダ」という。）１ａを有する液晶ナースコール子機（以下「病室液晶ナースコール子機」という。）２ａと、手術室ＯＲに設置され、子機用バーコードリーダ（以下「手術室子機用バーコードリーダ」という。）１ｂを有する液晶ナースコール子機（以下「手術室液晶ナースコール子機」という。）２ｂと、廊下に設置された複数の集合廊下灯３ａ、３ｂ、３ｃ、…（以下、集合廊下灯３ａを「第１の集合廊下灯３ａ」と、集合廊下灯３ｂを「第２の集合廊下灯３ｂ」と、集合廊下灯３ｃを「第３の集合廊下灯３ｃ」という。）と、病院内に設置されたナースコール制御機４と、ナースステーションＮＳなどに設置されたナースコール親機５と、ナースステーションＮＳ内に設置され、親機用バーコードリーダ６を有するナースコール用パーソナルコンピュータ７と、病院内に構築された院内ネットワーク８と、電気錠９を有する出入口扉１０と、電気錠９の開閉を制御する電気錠コントローラ１１と、出入口用バーコードリーダ１２を有するアダプタ１３とを備えている。
【００２０】
ここで、ナースコール制御機４は第１の伝送路Ｌ１を介して第１、第２、第３の集合廊下灯３ａ、３ｂ、３ｃに、第２の伝送路Ｌ２を介してナースコール親機５に、第３の伝送路Ｌ３を介してアダプタ１３にそれぞれ接続され、第１、第２の集合廊下灯３ａ、３ｂには第４の伝送路Ｌ４を介して対応する病室液晶ナースコール子機２ａが、第３の集合廊下灯３ｃには第５の伝送路Ｌ５を介して手術室液晶ナースコール子機２ｂが、ナースコール親機５には第６の伝送路Ｌ６を介してナースコール用パーソナルコンピュータ７が、アダプタ１３には第７の伝送路Ｌ７を介して電気錠コントローラ１１がそれぞれ接続されている。また、各病室液晶ナースコール子機２ａは第８の伝送路Ｌ８を介して対応する病室子機用バーコードリーダ１ａに、手術室液晶ナースコール子機２ｂは第９の伝送路Ｌ９を介して手術室子機用バーコードリーダ１ｂに、ナースコール用パーソナルコンピュータ７は第１０の伝送路Ｌ１０を介して院内ネットワーク８に、第１１の伝送路Ｌ１１を介して親機用バーコードリーダ６に、アダプタ１３は第１２の伝送路Ｌ１２を介して出入口用バーコードリーダ１２に、電気錠コントローラ１１は第１３の伝送路Ｌ１３を介して電気錠９にそれぞれ接続されている。
【００２１】
図２は、病室液晶ナースコール子機２aや手術室液晶ナースコール子機２ｂの液晶タッチパネルディスプレイなどの表示部（不図示）に現れる画面の一例を示している。同図において、表示部の画面の主要部には、患者の診療科目、患者の病室番号やベッド番号、患者の氏名、患者チェック欄２１および担当医の氏名などが表示され、同画面の右側には、患者用カルテ、治療計画、食事制限などが表示されている。
【００２２】
図３は、ナースコール用パーソナルコンピュータ７の表示部（不図示）に現れる薬剤情報７１の一例を示している。同図において、ナースコール用パーソナルコンピュータ７の表示部の画面には、患者名、薬剤名、量およびチェック欄（日時、時間）などが表示されている。
【００２３】
次に、このように構成された本発明のナースコール装置の動作について説明する。なお、各病室液晶ナースコール子機２ａや手術室液晶ナースコール子機２ｂからの呼出に応じて、第１、第２、第３の集合廊下灯３ａ、３ｂ、３ｃおよびナースコール制御機４を介してナースコール親機５に呼出を報知/表示させる点は、従来のナースコール装置と同様であることから詳細な説明を省略し、ここでは、患者などを特定するバーコードを病室子機用バーコードリーダ１ａや手術室子機用バーコードリーダ１ｂなどで読取る動作を中心にして説明する。
【００２４】
先ず、病室内の患者や看護師および医師などの院内関係者は、それぞれ自己を特定する専用のバーコードを所持し若しくは自己の身体の一部（腕部など）に取り付けている（以下、バーコードの所持若しくは身体への取付けを「バーコードの担持」という）。また、ナースコール用パーソナルコンピュータ７には、予め患者用カルテ、治療計画、食事制限などの患者情報が記憶されている。
【００２５】
今、ある患者、例えば病室Ａ内のあるベッド（以下「第１のベッド」という。）に係る患者（以下「第１の患者」という。）を確認するために、第１の患者が担持するバーコードを第１のベッドに係る病室子機用バーコードリーダ（以下「第１の病室子機用バーコードリーダ」という。）１aで読取ると、第１の病室子機用バーコードリーダ１ａから第１の患者を特定するバーコードデータ（以下「第１のバーコードデータ」という。）が出力され、この第１のバーコードデータが第８の伝送路Ｌ８、第１のベッドに係る病室液晶ナースコール子機（以下「第１の液晶ナースコール子機」という。）２ａ、第４の伝送路Ｌ４、第１の集合廊下灯３ａ、第１の伝送路Ｌ１、ナースコール制御機４、第２の伝送路Ｌ２、ナースコール親機５および第６の伝送路Ｌ６を介してナースコール用パーソナルコンピュータ７へ伝送される。
【００２６】
そうすると、ナースコール用パーソナルコンピュータ７において、患者情報が照合され、第１のバーコードデータと第１の患者のバーコードデータが一致すると、ナースコール用パーソナルコンピュータ７から両者のバーコードデータが一致した旨の信号（以下「一致信号」という。）が出力され、この一致信号が前述の第１のバーコードデータと逆の経路を経由して第１の病室液晶ナースコール子機２ａへ伝送される。これにより、第１の液晶ナースコール子機２aの表示部に、図２に示すような画面が現れるとともに、当該画面の患者チェック欄２１に両者のバーコードデータが一致した旨を表わすチェックマークが付される。従って、このような構成のナースコール装置によれば、当該バーコードを担持する患者が第１の患者、すなわち、病室Ａ内の第１のベッドに係る患者であることを確認することができる。
【００２７】
ここで、第１の患者と異なる患者、例えば病室Ａ内の第１のベッドに隣接する他のベッドに係る患者（以下「第２の患者」という。）が担持するバーコードを第１の子機用バーコードリーダ１ａで読取ると、第１の病室子機用バーコードリーダ１ａから第２の患者を特定するバーコードデータ（以下「第２のバーコードデータ」という。）が出力され、この第２のバーコードデータが前述の第１のバーコードデータと同様の経路を経由してナースコール用パーソナルコンピュータ７へ伝送される。
【００２８】
そうすると、ナースコール用パーソナルコンピュータ７において、患者情報が照合され、第２のバーコードデータと第１の患者のバーコードデータが一致しない旨の信号（以下「不一致信号」という。）が出力され、この不一致信号が前述の一致信号と同様の経路を経由して第１の病室液晶ナースコール子機２ａへ伝送される。これにより、第１の液晶ナースコール子機２aの表示部に、両者のバーコードデータが一致しない旨のエラーが表示される。従って、このような構成のナースコール装置によれば、患者をとり間違えるなどの医療過誤を防止することができる。
【００２９】
一方、第１の病室液晶ナースコール子機２ａの表示部の患者チェック欄２１にチェックマークが付された状態において、看護師などが所定の操作を行なうと、ナースコール用パーソナルコンピュータ７から、第１の患者に係る患者用カルテ、治療計画および食事制限などの患者情報（以下「第１の患者情報」という。）が読み出され、かかる第１の患者情報が前述の一致信号と同様の経路を経由して第１の病室液晶ナースコール子機２ａへ伝送される。これにより、第１の液晶ナースコール子機２aの表示部に、図２に示すような第１の患者情報、すなわち第１の患者に係る患者用カルテ、治療計画および食事制限などの情報が表示される。従って、このような構成のナースコール装置によれば、第１のベッドサイドにおいて第１の患者情報を閲覧することができる。
【００３０】
次に、本発明のナースコール装置の付加機能について説明する。
【００３１】
第１に、看護師が担持するバーコードをパスワードとして利用する場合においては、当該看護師は病室液晶ナースコール子機２ａを用いて患者に関する所定の記録データをナースコール用パーソナルコンピュータ７に転送することができる。すなわち、第１の患者が担持するバーコードを第１の病室子機用バーコードリーダ１ａで読取り、更に看護師が担持するバーコードをパスワードとして第１の病室子機用バーコードリーダ１ａで読取ることにより、看護師は第１の病室液晶ナースコール子機１ａを使用することができる。これにより、看護師は第１の病室液晶ナースコール子機２ａのテンキー操作部（不図示）などの操作により、第１の患者の体温や脈拍などを記録することができ、ひいては、第１の患者に係る記録データを前述の第１のバーコードデータと同様の経路を経由してナースコール用パーソナルコンピュータ７に転送することができる。
【００３２】
第２に、ナースコール用パーソナルコンピュータ７に親機用バーコードリーダ６を接続した場合においては、看護師、医師が担持するバーコードをパスワードとして、院内ネットワーク８のアクセス権を得ることができる。すなわち、看護師や医師が担持するバーコードをパスワードとして親機バーコードリーダ６で読取ると、親機バーコードリーダ６からバーコードデータ（以下「親機バーコードデータ」という。）が第１１の伝送路Ｌ１１を介してナースコール用パーソナルコンピュータ７へ伝送される。そして、親機バーコードデータと当該看護師や医師のバーコードデータとが一致すると、当該看護師や医師は院内ネットワーク８のアクセス権を得ることができる。これにより、当該看護師や医師は、ナースコール用パーソナルコンピュータ７にて、図３に示すような薬剤情報７１や看護師や医師用カルテなどのデータを閲覧することができる。ここで、当該看護師や医師が担持するバーコードは、ナースコール用パーソナルコンピュータ７に対するパスワードとしても利用することができ、ひいては、ナースコール用パーソナルコンピュータ７に記憶されている患者情報を閲覧することができ、また、ナースコール用パーソナルコンピュータ７にて、患者情報の変更や削除若しくは登録なども行なうことができる。さらに、薬剤に取付けられたバーコードや薬剤の包装に付されたバーコードを親機用バーコードリーダ６で読取ることにより、薬剤の確認も行なうことができる。これにより、看護師などは、投薬ミスなどの発生を防止することができる。なお、上記の薬剤は、第１の患者が担持するバーコードを病室子機用バーコードリーダ１ａや手術室子機用バーコードリーダ１ｂで読取り、更に、薬剤に取付けられたバーコードを病室子機用バーコードリーダ１ａや手術室子機用バーコードリーダ１ｂで読取ることでも確認することができる。
【００３３】
第３に、看護師や医師が担持する特定のバーコードは、パスワードとして病室子機用バーコードリーダ１ａや手術室子機用バーコードリーダ１ｂで読取ることもできる。これにより、看護師や医師は、ナースステーションＮＳ、各病室Ａ、Ｂおよび手術室ＯＲの何れかからでも院内ネットワーク８やナースコール用パーソナルコンピュータ７にアクセスすることができ、ひいては前述のように患者情報の閲覧や患者情報の変更や削除若しくは登録などを行なうことができる。
【００３４】
第４に、徘徊者などの患者が入院している病室の出入口扉１０に、電気錠９の開閉を制御する電気錠コントローラ１１および出入口バーコードリーダ１２を装備させた場合においては、特定の院内関係者のみが出入口扉１０を開閉することができる。すなわち、看護師や医師などの院内関係者が担持する特定のバーコードを出入口バーコードリーダ１２で読取ると、出入口バーコードリーダ１２からバーコードデータ（以下「出入口バーコードデータ」という。）が出力され、この出入口バーコードデータが第１２の伝送路Ｌ１２、アダプタ１３、第３の伝送路Ｌ３、ナースコール制御機４、第２の伝送路Ｌ２、ナースコール親機５および第６の伝送路Ｌ６を介してナースコール用パーソナルコンピュータ７に伝送される。
【００３５】
そして、ナースコール用パーソナルコンピュータ７において、出入口バーコードデータと出入口扉１０を開閉するためのバーコードデータとが一致すると、ナースコール用パーソナルコンピュータ７から制御信号が出力され、この制御信号が第６の伝送路Ｌ６、ナースコール親機５、第２の伝送路Ｌ２、ナースコール制御機４、第３の伝送路Ｌ３、アダプタ１３および第７の伝送路Ｌ７を介して電気錠コントローラ１１へ伝送される。これにより、電気錠コントローラ１１が制御され解錠信号が第１３の伝送路Ｌ１３を介して電気錠９へ伝送され、出入口扉１０の開閉が可能となる。従って、このような構成のナースコール装置によれば、特定のバーコードを担持しない部外者は出入口扉１０を開けることができないことから、特定の病室などに対する人の入出管理を行なうことができる。
【００３６】
第５に、手術室ＯＲ内に患者が担持するバーコードを読取ることが可能な手術室子機用バーコードリーダ１ｂを備える場合においては、手術室液晶ナースコール子機２ｂに患者名を表示させることができ、ひいては、患者を確認することで、患者の取り間違いなどの医療過誤を防止することができる。ここで、看護師や医師が担持するバーコードをパスワードとして手術室子機用バーコードリーダ１ｂで読取れば、院内ネットワーク８のアクセス権を得ることができ、ひいては、手術室液晶ナースコール子機２ｂに看護師や医師用カルテなどのデータを表示させることができる。
【００３７】
なお、前述の実施例においては、病室が２室の場合について説明しているが、かかる病室は病院の規模に合わせて３室以上設けてもよく、また、手術室も複数室設けてもよい。
【００３８】
【発明の効果】
以上の説明から明らかなように、本発明のナースコール装置によれば、患者を特定するバーコードを患者に担持させ、当該バーコードを子機用バーコードリーダで読取ることにより患者を確認することができ、また、看護師や医師を特定するバーコードを看護師や医師に担持させ、当該バーコードをパスワードとして子機用バーコードリーダなどで読取ることにより、患者情報などを閲覧することができる。さらに、看護師や医師が担持するバーコードをパスワードとして親機用バーコードリーダなどで読取ることにより、患者情報の変更や削除若しくは登録なども行なうことができ、また、薬剤に取付けられたバーコードを親機用バーコードリーダなどで読取ることにより、薬剤の確認も行なうことができる。従って、本発明のナースコール装置によれば、患者をとり間違えたり、投薬ミスなどの医療過誤の誘発を防止することができる。
【００３９】
【図面の簡単な説明】
【図１】本発明の一実施例におけるナースコール装置のシステム構成図。
【図２】本発明における液晶ナースコール子機の表示画面の一例を示す説明図。
【図３】本発明におけるナースコール用パーソナルコンピュータの表示画面の一例を示す説明図。
【図４】従来のナースコール装置のシステム構成図。
【符号の説明】
１ａ…子機用バーコードリーダ(病室子機用バーコードリーダ)
１ｂ…子機用バーコードリーダ(手術室子機用バーコードリーダ)
２ａ…液晶ナースコール子機（病室液晶ナースコール子機）
２ｂ…液晶ナースコール子機（手術室液晶ナースコール子機）
３ａ、３ｂ、３ｃ、…集合廊下灯
４…ナースコール制御機
５…ナースコール親機
６…親機用バーコードリーダ
７…ナースコール用パーソナルコンピュータ
８…院内ネットワーク
９…電気錠
１０…出入口扉
１１…電気錠コントローラ
１２…出入口バーコードリーダ
７１…薬剤情報
【図１】
2004195006.tif 000003
【図２】
2004195006.tif 000004
【図３】
2004195006.tif 000005
【図４】
2004195006.tif 000006